(57)【要約】光切除屈折矯正手術のために好ましく意図される眼科レーザーシステムにおいて、角膜パキメトリーを測定するために好ましい光干渉断層計デバイスである構成部材装置は、ＯＣＴプローブビームの第１および第２のプルキンエ反射が、検出される場合、測定を行い、そうでなければ、像シグナルは、ＯＣＴ測定を可能とするほど十分に強くない。本システムの治療レーザーのビーム軸は、ＯＣＴプローブビームと相互に位置合わせされる。ＯＣＴプローブビームの第１および第２のプルキンエ反射が、検出される場合、シグナルが、ＯＣＴデバイスによって生じ、アイトラッカー作業を稼動させるために本システムのアイトラッカー構成部材へ送達される。これによって、アイトラッカーの客観的、自動的な作動および処置軸または診断軸に対する患者の光軸の位置合わせを可能とする。
2006521125.tif 000002
【特許請求の範囲】
【請求項１】
治療レーザービームを生じるためのレーザー装置を備えるレーザー眼科手術システムであって、該治療レーザービームは、治療ビーム軸およびアイトラッカーを有し、該アイトラッカーは、眼の運動をモニターするための位置合わせ軸を有するレーザー眼科手術システムであって、ここで該アイトラッカーは、該レーザー装置と協調的に作動する、レーザー眼科手術システムにおいて、
改善点は以下：
該治療ビーム軸と同軸上に相互に位置合わせされた光軸を有するプローブビームを放射するように適合され、かつ第１および第２のプルキンエ反射が、同軸上に相互に位置合わせされる場合、該プローブビームの該第１のプルキンエ像および該プローブビームの該第２のプルキンエ像の該装置による検出に関するシグナルを放射するために適合された該レーザー眼科手術システムと協調的に作動する装置であって、ここで該シグナルは、該アイトラッカーの作動を誘発するために用いられる、装置、
によって特徴付けられる、レーザー眼科手術システム。
【請求項２】
請求項１に記載のシステムであって、前記プローブビームが角膜と交差し得る角膜の前面における領域の大きさを制限するアパーチャーを有する構成部材をさらに備える、システム。
【請求項３】
請求項２に記載のシステムであって、前記アパーチャーが、約２００μｍ〜３００μｍの間の直径を有する、システム。
【請求項４】
請求項１〜３のいずれかに記載のシステムであって、前記装置が、ＯＣＴデバイスである、システム。
【請求項５】
請求項１〜４のいずれかに記載のシステムであって、前記プローブビームが、スペクトルのＩＲ領域内である、システム。
【請求項６】
請求項１〜５のいずれかに記載のシステムであって、前記プローブビームが、約５μｍ〜約８μｍの間のコヒーレントな長さを有する、システム。
【請求項７】
眼科手術システムであって、該システムは、以下：
治療レーザー構成部材であって、該治療レーザー構成部材は、治療ビーム軸を有するビームを提供する、治療レーザー構成部材
アイトラッカー構成部材であって、該アイトラッカー構成部材は、眼に該治療ビームを位置させるために患者の眼の運動をモニターする、アイトラッカー構成部材；ならびに
デバイス構成部材であって、該デバイス構成部材は、該治療ビーム軸と同軸上に相互に位置合わせされる光軸を有するプローブビームを提供し、該デバイス構成部材は、第１および第２のプルキンエ反射が、同軸上に相互に位置合わせされる場合、該プローブビームの第１のプルキンエ像および該プローブビームの該第２のプルキンエ像の該デバイス構成部材による検出に関するシグナルを放射し得、ここで該シグナルは、該アイトラッカーの作動を誘発するように用いられる、デバイス構成部材
を含む、システム。
【請求項８】
請求項７に記載のシステムであって、前記デバイス構成部材が、ＯＣＴデバイスである、システム。
【請求項９】
請求項７または請求項８に記載のシステムであって、前記プローブビームが、スペクトルのＩＲ領域内である、システム。
【請求項１０】
請求項７〜９のいずれかに記載のシステムであって、前記プローブビームが、約５μｍ〜約８μｍの間のコヒーレントな長さを有する、システム。
【請求項１１】
請求項７〜１０のいずれかに記載のシステムであって、前記デバイス構成部材が、前記プローブビームが角膜と交差し得る角膜の前面における領域の大きさを制限するアパーチャーを有する、システム。
【請求項１２】
請求項１１に記載のシステムであって、前記アパーチャーが、約２００μｍ〜３００μｍの間の直径を有する、システム。
【請求項１３】
眼科処置の間の患者の眼の運動をモニターするアイトラッカーシステムであって、前記診断構成部材が、患者の目に向けられたビームの第一のプルンキエ像および第二のプルンキエ像の同軸上の相互の位置合わせを検出する場合、該アイトラッカーシステムは自動的に、協調的な、別々の、該構成部材によって放射されるシグナルを受けて作動される、システム。
【請求項１４】
請求項１３に記載のシステムであって、前記協調的な構成部材が、ＯＣＴデバイスである、システム。
【請求項１５】
請求項１４に記載のシステムであって、前記ビームが、前記ＯＣＴデバイスから放射され、該ビームは、約５μｍ〜８μｍの間のコヒーレントな長さを有する、システム。
【請求項１６】
眼科治療装置の治療軸および／または眼科診断装置の診断軸と患者の眼の光軸とを位置合わせするための方法であって、該方法は、以下：
該治療軸および／または診断軸と同軸上に相互に位置合わせされる伝搬軸を有するプローブビームを該眼に向ける工程；
該プローブビームの第１のプルンキエ像を検出する工程；
該プローブビームの第２のプルンキエ像を検出する工程；ならびに
該眼からの第１および第２のプルンキエ反射の同軸上の相互の位置合わせを検出する工程であって、ここで該同軸上の相互の位置合わせは、該治療軸および／または診断軸と患者の光軸との位置合わせによって確立される、工程
を包含する、方法。
【請求項１７】
請求項１６に記載の方法であって、ＯＣＴデバイスからの前記プローブビームを生じる工程を包含する、方法。
【請求項１８】
請求項１７に記載の方法であって、患者の眼の前面に約２００μｍ〜３００μｍの間の直径まで前記プローブビームを絞る工程を包含する、方法。
【請求項１９】
請求項１７または１８に記載の方法であって、約５μｍ〜８μｍの間のコヒーレントな長さを有する前記プローブビームを生じる工程を包含する、方法。
【請求項２０】
請求項１６〜１９のいずれかの方法であって、第１および第２のプルンキエ反射の同軸上の相互の位置合わせの検出に関するシグナルを生じる工程をさらに包含する、方法。
【請求項２１】
請求項２０に記載の方法であって、該方法は、前記眼科治療装置および／または前記眼科診断装置と協調的に作動するアイトラッカーデバイスを作動させるためにシグナルを用いる工程を包含する、方法。
【請求項２２】
患者の眼の視力欠陥を測定およびまたは矯正するための眼科システムにおいて、該眼科システムは、該視力欠陥を測定するための診断構成部材および該視力欠陥を矯正するための治療構成部材のうちの少なくとも一つを備え、ならびに該視力欠陥の測定および／または矯正に関して眼の動きをモニターするための該診断構成部材および／または該治療構成部材と協調的に作動するアイトッラッキング構成部材を備える、システムにおいて、患者の眼の前記光軸が、該診断構成部材および／または該治療構成部材のビーム軸と位置合わせされる場合、該アイトラッキング構成部材を作動するための方法であって、該方法は、以下：
該システムと協調的に作動するデバイス構成部材を提供する工程であって、該システムは、光軸を有する眼へプローブビームを放射し、該光軸は、該診断構成部材および／または該治療構成部材の該ビーム軸と同心軸上に相互に位置合わせされる、工程；
第１および第２のプルキンエ反射が、同心軸上に相互に位置合わせされる場合、該プローブビームの該第１のプルキンエ像および該プローブビームの該第２のプルキンエ像を該デバイス構成部材を用いて検出する工程；ならびに
該検出に関するシグナルを生じる工程、および該アイトラッキング構成部材の作動を誘発するために該シグナルを用いる工程、
を包含する、方法。
【請求項２３】
請求項２２に記載の方法であって、該方法が、前記プローブビームを生じるためのＯＣＴデバイスを提供する工程を包含する、方法。
【請求項２４】
請求項２２または２３に記載の方法であって、患者の眼の前面に約２００μｍ〜３００μｍの間の直径まで前記プローブビームを絞る工程を包含する、方法。
【請求項２５】
請求項２２〜２４のいずれかに記載の方法であって、該方法は、約５μｍ〜８μｍの間のコヒーレントな長さを有する前記プローブビームを生じる工程を包含する、方法。
【発明の詳細な説明】
【技術分野】
【０００１】
（発明の分野）
本発明は一般に、屈折矯正手術の分野に関し、より詳細には、眼の位置合わせおよびアイトラッカー連動のためのシステム、装置および方法に関する。
【背景技術】
【０００２】
（関連技術の記載）
手術が実施される場合は常に、極度の正確性が代表的に必要とされる。この要求は、手術が、不随意運動しやすい身体の一部で実施される場合、強調される。本発明の好ましい分野において、屈折矯正手術は、例えば、ＬＡＳＩＫとして公知の一般的な手順、またはＰＲＫもしくはＬＡＳＥＫのような同様の手順において患者の眼で実施される。これらの場合のすべてにおいて、代表的に１９３ｎｍの波長を有するレーザービームが、視力欠陥の矯正のために、角膜表面に新しい形状を提供するために作用をうける角膜表面の容積部分を光切除（ｐｈｏｔｏａｂｌａｔｅ）するために用いられる。
【０００３】
一般に、患者の眼を位置合わせすることが問題である。患者の眼は、断続的な運動をしやすく、この断続的な運動は、速く、小きざみな不随意運動である。人は、手術の間、随意的にその注視をそらし得；そしてさらに、眼の位置の安定性は、患者の心拍および他の生理学的要因により影響を受ける。さらに、レーザー屈折矯正手術のために眼を位置合わせをするために適切な基準軸についてさらなる議論が存在する。例えば、ある外科医は、瞳孔の中心を同定することを好むが、しかし、瞳孔の中心部位は、瞳孔の大きさに依存する。ある外科医は、患者の眼のプルキンエ軸を用いて、治療システムにおいて眼を位置合わせする。これは、プルキンエ軸が、角膜からの照射レーザービームのさまざまな像（ｒｅｆｌｅｘ）の重複を有することによって特徴付けられるために、不確定なものであり得る。位置合わせ軸のより詳細な説明について、関心のある読者は、ＵｏｚａｔｏおよびＧｕｕｔｏｎ、Ａｍｅｒｉｃａｎ  ｏｆ  Ｊｏｕｒｎａｌ  Ｏｐｈｔｈａｌｍｏｌｏｇｙ，１０３：２６４−９７５，１９８７年３月を参照のこと。これは、許容される最も完全な範囲までその全体が参考として本明細書中に援用される。
【０００４】
屈折欠陥の矯正のための代表的なレーザー眼科システムにおいて、このシステムのアイトラッカー構成部材が、手術の間の患者の眼の動きを追跡し、トラッキングを、維持することができない場合、治療レーザービームの送達を中断するために用いられる。種々のアイトラッカー技術が、商業的に入手可能であり、それ自体は、本明細書中以下に記載される本発明に関係しない。しかし、アイトラッカーが、患者の眼の所望される基準点に固定される場合、このアイトラッカーを作動させる必要がある。しばしば、外科医は、アイトラッカーが、適切に位置合わせされるように「みえる」場合、手動でこのアイトラッカーを作動させる。この主観的な技術は、十分な視力矯正のために、偏心化された切除および他の障害を引き起こし得る間違いを生じる傾向がある。従って、本発明者らは、特に良好なレーザー眼科手術に適用される場合、眼の位置合わせにおけるさらなる確実性およびさらなる正確性に対する要求を認識した。
【発明の開示】
【課題を解決するための手段】
【０００５】
（発明の要旨）
本発明の実施形態によると、ビーム軸に従ってビームを出力する治療レーザーおよびアイトラッカーを備える眼科レーザー手術システムは、協調的な構成部材を組み入れる。この協調的な構成部材は、光軸を有するプローブビームを放射する。この光軸は、治療ビームと同軸上に相互に位置合わせされ、第１および第２のプルキンエ反射（ｒｅｆｌｅｃｔｉｏｎ）が、同軸上に相互に位置合わせされる場合、プローブビームの第１のプルキンエ像およびプローブビームの第２のプルキンエ像の検出に関するシグナルを放射する。次いでこのシグナルは、アイトラッカーの作動を誘発するために用いられ得る。
【０００６】
別の実施形態において、診断構成部材が、患者の眼からのプローブビームの第１のプルキンエ像および第２のプルキンエ像の同軸上の相互の位置合わせを検出する場合、眼科手順の間の患者の眼の運動をモニターするアイトラッカーシステムは、角膜からのプローブビームの少なくとも二つの異なる反射を適切に検出することによって機能する、協同的な、別々の、診断構成部材によって放射されたシグナルを受けることによって自動的に作動され得る。
【０００７】
本発明の別の実施形態は、患者の眼の光軸を眼科治療装置の治療軸および／または眼科診断装置の診断軸と位置合わせするための方法に関する。この方法は、治療軸および／または診断軸と同軸上に相互に位置合わせされる伝搬軸を有するプローブビームを患者の眼へ向ける工程、このプローブビームの第１のプルキンエ像を検出する工程、このプローブビームの第２のプルキンエ像を検出する工程、ならびに眼からの第１および第２のプルキンエ反射の同軸上の位置合わせを検出することに関して、患者の光軸を治療軸および／または診断軸と位置合わせすることを確立する工程、を包含する。この実施形態の一つの局面において、さらなる工程が、第１および第２のプルキンエ反射の同軸上の相互の位置合わせの検出に関するシグナルを生じる工程を包含する。さらなる局面において、この方法は、眼科治療装置および／または眼科診断装置と協調的に作動するアイトラッカーデバイスを作動させるために上記のシグナルを用いる工程を包含する。
【０００８】
別の実施形態は、患者の眼の視力の欠陥を測定および／または矯正するための眼科システムに関する。このシステムは、視力の欠陥を測定するための診断構成部材または、好ましくは、視力の欠陥を矯正するための治療構成部材、および視力の欠陥の測定および／または矯正に関して眼の動きをモニターするために、診断構成部材および／または治療構成部材と協調的に作動するアイトラッキング構成部材を備え、ここでこのアイトラッキング構成部材の作動は、患者の眼の光軸が、診断構成部材および／または治療構成部材のビーム軸と位置合わせされる場合、診断構成部材および／または治療構成部材のビーム軸と同軸上に相互に位置合わせされる光軸を有する眼へプローブビームを放射するこのシステムと協調的に作動するデバイス構成部材を提供すること、第１および第２のプルキンエ反射が、同軸上に相互位置合わせされる場合、プローブビームの第１のプルキンエ像およびプローブビームの第２のプルキンエ像を検出する工程、および検出に関するシグナルを生成する工程、およびアイトラッキング構成部材の作動を起動するためにこのシグナルを用いる工程によって達成される。
【０００９】
前述の実施形態の全てにおいて、光干渉断層計（ＯＣＴ）デバイスが、好ましい構成部材であり、プローブビームを生じるため、プルキンエ反射を検出するため、およびアイトラッカー起動するためのシグナルを生じるための手段である。
【００１０】
本発明のこれらの目的および他の目的は、以下の詳細な説明からより容易に明らかとなる。しかし、詳細な説明および特定の実施例は、本発明の好ましい実施形態を示しているが、例証のみの方法によって与えられることを理解すべきである。それは、本発明の精神および範囲内の種々の変更および改変は、本明細書中の詳細な説明および図面ならびに添付される特許請求の範囲に基づいて当業者に明らかとなるためである。
【発明を実施するための最良の形態】
【００１１】
（発明の好ましい実施形態の詳細な説明）
本発明は、患者の眼の光軸を屈折視力矯正手術システムの診断構成部材または治療構成部材（例えば、エキシマーレーザー）のビーム軸と客観的に位置合わせするための装置および方法に関する。本発明の実施形態はさらに、このようなシステムにおけるアイトラッカーの自動的な作動または起動に関する。本発明は、図１に図示するように、患者の眼からの第１および第２のプルキンエ反射の相互の位置合わせの検出に基づく。図１において、眼１００の断面を、角膜の前面１２、角膜の後面１４、レンズの前面１６、レンズの後面１８、および網膜面１９（図示目的のため直線の、波線として示す）を含むように模式的に示す。眼が、入力ビーム２０によって適切に照射される場合、４つのプルキンエ反射が、検出され得ると当業者に長く理解されていた。この第１のプルキンエ像２２は、角膜の前面１２から反射される光によって形成されるバーチャルイメージ（ｖｉｒｔｕａｌ  ｉｍａｇｅ）として規定される。第２のプルキンエ像２４は、角膜の後面１４からの反射によって形成される入力光のイメージである。角膜の前面または角膜の後面のいずれかからも反射されない光は、角膜および眼房水を通って、および眼のレンズを通って網膜１９へ伝搬する。第３のプルキンエ像２６は、眼のレンズの前面１６から反射された入力光２０によって形成されるバーチャルイメージであるが、第４のプルキンエイメージは、その硝子体液との干渉においてレンズの後面１８から反射される光によって形成される。関心のある読者は、プルキンエイメージ形成のより詳細な議論についてＰ．Ｎ．ＣｏｒｎｓｗｅｅｔおよびＨ．Ｄ．Ｃｒａｎｅ，Ｊ．Ｏｐｔ．Ｓｏｃ．Ａｍ．，６３，９２１（１９７３）を参照のこと。これは、本明細書中にその全体が参考として援用される。
【００１２】
眼のパキメトリー（特に、角膜パキメトリー（角膜の厚さ測定））は、眼科の外科的手順（例えば、屈折視力矯正のような）に有用な測定パラメーターである。いくつもの技術が、角膜パキメトリーを測定するために開発されている（例えば、超音波測定および光干渉断層計（ＯＣＴ）を含む）。
【００１３】
ＯＣＴの原理は、当業者によく知られており、本発明の目的ために角膜の厚さの測定値を得るために用いられ得る光干渉反射法および他の形態の光干渉法を包含する。関心のある読者は、Ｈｉｔｚｅｎｂｅｒｇｅｒ，「Ｍｅａｓｕｒｅｍｅｎｔ  ｏｆ  Ｃｏｒｎｅａｌ  Ｔｈｉｃｋｎｅｓｓ  ｂｙ  Ｌｏｗ  Ｃｏｈｅｒｅｎｃｅ  Ｉｎｔｅｒｆｅｒｏｍｅｔｒｙ」，Ａｐｐｌｉｅｄ  Ｏｐｔｉｃｓ，Ｖｏｌ．３１，Ｎｏ．３１（１９９２年１１月）（これは、適用可能な法律および規則によって認められる範囲までその全体が参考として本明細書中に援用される）を参照のこと。本質的に、ＯＣＴ装置からのシグナルは、測定面から反射されたＯＣＴプローブ放射のビーム経路が、ＯＣＴ装置内でＯＣＴ放射の一時的なコヒーレンス長に相当する距離内に確立された基準ビーム経路と等しい場合にのみ生じる。角膜の中心の厚さを測定するために、ＯＣＴデバイスは、第１のプルキンエ像２２に相当する角膜の前面１２からのプローブビームの反射および第２のプルキンエ像２４に相当する角膜後面からの反射を認識しなければならない。図３に示されるように、パキメトリーシグナル３３０は本質的に、第１および第２のプルキンエイメージの同時発生的な反射が、３１０で検出されるまで、ゼロである。ここで、角膜パキメトリーは、上記装置によって測定されており、本発明によると、このシグナルは、診断処置もしくは治療処置の間の眼の運動をモニターするためのアイトラッカー装置または他のアイトラッカー機能を誘発するために用いられ得る。従来のアイトラッカーシステムにおいて、患者は、治療ビーム軸と同時発生的に生じる可視レーザービームが、患者の角膜に向けられている間、照明源に固定させることを要求され得る。角膜の位置に関する可視レーザービームの外科医の観察に基づいて、外科医は、角膜位置に関して彼または彼女の最良の判断を用いてアイトラッカーを手動で作動させる。都合よく、本発明により、アイトラッカーは現在、自動的に始動され、かつより正確なものであり得る。それはＯＣＴシグナルが、患者の光軸が、適切に位置合わせされた場合にのみ生じるためである。
【００１４】
本発明のシステム実施形態が、図２に模式的に示される。システム２００は、角膜の前面１２および角膜の後面１４によって示される患者の角膜を新形態にするための光アブレーティブ眼科手術システムを示す。このシステムは、ビームスプリッター２６を通過し、眼に向かって伝搬するプローブビーム３４を放射するＯＣＴ構成部材３０を備える。このビームは、公知の絞り手段３６によって、好ましくはプローブビーム直径が約２００ミクロン〜３００ミクロンの間に制限されるように絞られる。これは、ＯＣＴシグナルのより速い検出を生じる小さい側方範囲上のプローブビームスキャンを制限することに都合がよい。このシステムはさらに、５２で示されるような伝搬軸を有する治療ビームを放射する治療レーザー構成部材５０を備える。ＯＣＴ構成部材３０からのプローブビーム３４は、角膜表面で治療軸５２と同軸上に相互に位置合わせされる。治療処置の間の角膜表面の治療ビーム軸５２の位置は、当業者に周知の様式でアイトラッカー４０によって制御される；すなわち、随意運動および不随意運動に起因する眼の運動は、治療ビームを用いた角膜の切除を調整するためにリアルタイムでモニターされる。本発明による、角膜の中央の厚さの測定値は、角膜の前面１２からのプローブビーム反射２２および角膜の後面１４からのプローブビーム反射２４が、相互に位置合わせされる場合、これら二つの反射像の検出に関するＯＣＴ構成部材３０によって得られる。反射２２および反射２４は、それぞれ第１のプルキンエ像および第２のプルキンエ反射を示す。良好な角膜パキメトリー測定の時点で、ＯＣＴ構成部材３０によって受けられた測定シグナルは、シグナル３８によって始動されるアイトラッカー４０に３８で提供され、シグナル４２によってレーザー５０に伝達される。
【００１５】
種々の都合の良い実施形態が、本発明を図示するために選択されているが、添付される特許請求の範囲に規定されるような本発明の範囲から逸脱することなくその範囲内で変更および改変がなされ得ることが、当業者によって理解される。
【図面の簡単な説明】
【００１６】
【図１】図１は、眼の断面の略図である。
【図２】図２は、本発明によるシステムの実施形態の略図である。
【図３】図３は、本発明の実施形態によるトリガーシグナルのグラフ図である。
【図１】
2006521125.tif 000003
【図２】
2006521125.tif 000004
【図３】
2006521125.tif 000005
【手続補正書】
【提出日】平成18年6月5日(2006.6.5)
【手続補正１】
【補正対象書類名】特許請求の範囲
【補正対象項目名】全文
【補正方法】変更
【補正の内容】
【特許請求の範囲】
【請求項１】
治療レーザービームを生じるためのレーザー装置およびアイトラッカーを備えるレーザー眼科手術システムであって、該治療レーザービームは、治療ビーム軸を有し、該アイトラッカーは、眼の運動をモニターするための位置合わせ軸を有するレーザー眼科手術システムであって、ここで該アイトラッカーは、該レーザー装置と協調的に作動する、レーザー眼科手術システムにおいて、
改善点は以下：
該治療ビーム軸と同軸上に相互に位置合わせされた光軸を有するプローブビームを放射するように適合され、かつ第１および第２のプルキンエ反射が、同軸上に相互に位置合わせされる場合、該プローブビームの該第１のプルキンエ像および該プローブビームの該第２のプルキンエ像の該装置による検出に関するシグナルを放射するために適合された該レーザー眼科手術システムと協調的に作動する装置であって、ここで該シグナルは、該アイトラッカーの作動を誘発するために用いられる、装置、
によって特徴付けられる、レーザー眼科手術システム。
【請求項２】
請求項１に記載のシステムであって、前記プローブビームが角膜と交差し得る角膜の前面における領域の大きさを制限するアパーチャーを有する構成部材をさらに備える、システム。
【請求項３】
請求項２に記載のシステムであって、前記アパーチャーが、約２００μｍ〜３００μｍの間の直径を有する、システム。
【請求項４】
請求項１〜３のいずれかに記載のシステムであって、前記装置が、ＯＣＴデバイスである、システム。
【請求項５】
請求項１〜４のいずれかに記載のシステムであって、前記プローブビームが、スペクトルのＩＲ領域内である、システム。
【請求項６】
請求項１〜５のいずれかに記載のシステムであって、前記プローブビームが、約５μｍ〜約８μｍの間のコヒーレントな長さを有する、システム。
【請求項７】
眼科手術システムであって、該システムは、以下：
治療レーザー構成部材であって、該治療レーザー構成部材は、治療ビーム軸を有するビームを提供する、治療レーザー構成部材
アイトラッカー構成部材であって、該アイトラッカー構成部材は、眼に該治療ビームを位置させるために患者の眼の運動をモニターする、アイトラッカー構成部材；ならびに
デバイス構成部材であって、該デバイス構成部材は、該治療ビーム軸と同軸上に相互に位置合わせされる光軸を有するプローブビームを提供し、該デバイス構成部材は、第１および第２のプルキンエ反射が、同軸上に相互に位置合わせされる場合、該プローブビームの第１のプルキンエ像および該プローブビームの該第２のプルキンエ像の該デバイス構成部材による検出に関するシグナルを放射し得、ここで該シグナルは、該アイトラッカーの作動を誘発するように用いられる、デバイス構成部材
を含む、システム。
【請求項８】
請求項７に記載のシステムであって、前記デバイス構成部材が、ＯＣＴデバイスである、システム。
【請求項９】
請求項７または請求項８に記載のシステムであって、前記プローブビームが、スペクトルのＩＲ領域内である、システム。
【請求項１０】
請求項７〜９のいずれかに記載のシステムであって、前記プローブビームが、約５μｍ〜約８μｍの間のコヒーレントな長さを有する、システム。
【請求項１１】
請求項７〜１０のいずれかに記載のシステムであって、前記デバイス構成部材が、前記プローブビームが角膜と交差し得る角膜の前面における領域の大きさを制限するアパーチャーを有する、システム。
【請求項１２】
請求項１１に記載のシステムであって、前記アパーチャーが、約２００μｍ〜３００μｍの間の直径を有する、システム。
【請求項１３】
眼科処置の間の患者の眼の運動をモニターするアイトラッカーシステムであって、前記診断構成部材が、患者の目に向けられたビームの第一のプルンキエ像および第二のプルンキエ像の同軸上の相互の位置合わせを検出する場合、該アイトラッカーシステムは自動的に、協調的な、別々の、該診断構成部材によって放射されるシグナルを受けて作動される、システム。
【請求項１４】
請求項１３に記載のシステムであって、前記協調的な構成部材が、ＯＣＴデバイスである、システム。
【請求項１５】
請求項１４に記載のシステムであって、前記ビームが、前記ＯＣＴデバイスから放射され、該ビームは、約５μｍ〜８μｍの間のコヒーレントな長さを有する、システム。
【請求項１６】
眼科治療装置の治療軸および／または眼科診断装置の診断軸と患者の眼の光軸とを位置合わせすることによって、該眼科治療装置の整列を制御するための方法であって、該方法は、以下：
該制御手段の制御下で、該治療軸および／または診断軸と同軸上に相互に位置合わせされる伝搬軸を有するプローブビームを該眼に向ける工程；
該プローブビームの第１のプルンキエ像を検出する工程；
該プローブビームの第２のプルンキエ像を検出する工程；ならびに
該眼からの第１および第２のプルンキエ反射の同軸上の相互の位置合わせを検出する工程であって、ここで該同軸上の相互の位置合わせは、該治療軸および／または診断軸と患者の光軸との位置合わせによって確立される、工程
を包含する、方法。
【請求項１７】
請求項１６に記載の方法であって、ＯＣＴデバイスからの前記プローブビームを生じる工程を包含する、方法。
【請求項１８】
請求項１７に記載の方法であって、患者の眼の前面に約２００μｍ〜３００μｍの間の直径まで前記プローブビームを絞る工程を包含する、方法。
【請求項１９】
請求項１７または１８に記載の方法であって、約５μｍ〜８μｍの間のコヒーレントな長さを有する前記プローブビームを生じる工程を包含する、方法。
【請求項２０】
請求項１６〜１９のいずれかの方法であって、第１および第２のプルンキエ反射の同軸上の相互の位置合わせの検出に関するシグナルを生じる工程をさらに包含する、方法。
【請求項２１】
請求項２０に記載の方法であって、該方法は、前記眼科治療装置および／または前記眼科診断装置と協調的に作動するアイトラッカーデバイスを作動させるためにシグナルを用いる工程を包含する、方法。
【請求項２２】
患者の眼の視力欠陥を測定および／または矯正するための眼科システムにおいて、該眼科システムは、該視力欠陥を測定するための診断構成部材および該視力欠陥を矯正するための治療構成部材のうちの少なくとも一つを備え、ならびに該視力欠陥の測定および／または矯正に関して眼の動きをモニターするための該診断構成部材および／または該治療構成部材と協調的に作動するアイトッラッキング構成部材を備える、システムにおいて、患者の眼の前記光軸が、該診断構成部材および／または該治療構成部材のビーム軸と位置合わせされる場合、該アイトラッキング構成部材を作動することを制御するための方法であって、該方法は、以下：
該システムと協調的に作動するデバイス構成部材を提供する工程であって、該システムは、光軸を有する眼へプローブビームを放射し、該光軸は、該診断構成部材および／または該治療構成部材の該ビーム軸と同心軸上に相互に位置合わせされる、工程；
第１および第２のプルキンエ反射が、同心軸上に相互に位置合わせされる場合、該プローブビームの該第１のプルキンエ像および該プローブビームの該第２のプルキンエ像を該デバイス構成部材を用いて検出する工程；ならびに
該アイトラッキング構成部材の制御手段の制御下で、該検出に関するシグナルを生じる工程、および該アイトラッキング構成部材の作動を誘発するために該シグナルを用いる工程、
を包含する、方法。
【請求項２３】
請求項２２に記載の方法であって、該方法が、前記プローブビームを生じるためのＯＣＴデバイスを提供する工程を包含する、方法。
【請求項２４】
請求項２２または２３に記載の方法であって、患者の眼の前面に約２００μｍ〜３００μｍの間の直径まで前記プローブビームを絞る工程を包含する、方法。
【請求項２５】
請求項２２〜２４のいずれかに記載の方法であって、該方法は、約５μｍ〜８μｍの間のコヒーレントな長さを有する前記プローブビームを生じる工程を包含する、方法。
【国際調査報告】
2006521125.tif 000006
2006521125.tif 000007
2006521125.tif 000008
2006521125.tif 000009